(57)【要約】【課題】車椅子使用者が坐位で足を進入させる空間を広く確保しながら外観意匠性を高めることができるカウンターを提供する。【解決手段】本発明に係るカウンター（１００）は、天板（１０１）と、壁体（Ｗ）へ取り付けるための取付部（２）、および前記取付部の上部から前方に略水平方向に延びて前記天板が固定される支持部（３）を備えたブラケット（１）と、前記天板の下方に設けられる前板（１０７）と、を備え、前記ブラケットは、前記取付部を介して前記壁体に固定され、前記ブラケットには、前記前板を支持固定する固定部（５）がさらに形成されており、前記前板は、下端部が上端部より前記壁体側に近くなるように傾斜して前記固定部に固定されていることを特徴とする。【選択図】図３
2019146933.tif 000002
【特許請求の範囲】
【請求項１】
天板と、
壁体へ取り付けるための取付部、および前記取付部の上部から前方に略水平方向に延びて前記天板が固定される支持部を備えたブラケットと、
前記天板の下方に設けられる前板と、を備え、
前記ブラケットは、前記取付部を介して前記壁体に固定され、
前記ブラケットには、前記前板を支持固定する固定部がさらに形成されており、
前記前板は、下端部が上端部より前記壁体側に近くなるように傾斜して前記ブラケットの前記固定部に固定されていることを特徴とするカウンター。
【請求項２】
前記固定部は、前記支持部の前端よりも前記取付部側に位置する請求項１に記載のカウンター。
【請求項３】
前記ブラケットは、前記固定部から離間した位置に、前記前板を係止可能な係止部を備え、
前記前板は、前記係止部に係止され、且つ前記固定部に固定されている
請求項１または請求項２に記載のカウンター。
【請求項４】
前記ブラケットは、前記取付部の下部から前方に延びて、前記支持部よりも延出長さが短い下延出部を備え、
前記下延出部には、前記固定部または前記係止部が設けられている
請求項３に記載のカウンター。
【請求項５】
前記係止部と前記固定部とは、前後方向の位置がずれて設けられている請求項３または請求項４に記載のカウンター。
【請求項６】
前記天板の下方に２枚以上の前記前板が設けられ、
前記ブラケットは、２枚の前記前板を支持固定可能に構成されている請求項１から請求項５のいずれか一項に記載のカウンター。
【請求項７】
壁体への取付部と、
前記取付部の上部から前方に略水平方向に延び、天板を支持する支持部と、
前記取付部と前記支持部とに傾斜して架設される斜材と、を備え、
前記斜材に、前板を支持固定する固定部が形成されていることを特徴とするブラケット。
【発明の詳細な説明】
【技術分野】
【０００１】
本発明は、カウンター及びブラケットに関する。
【背景技術】
【０００２】
一般に、キッチンのコンロやシンクなどが設けられたキッチンカウンター、あるいは洗面ボウルが設けられた洗面カウンターの下部には、戸棚や引き出しが設けられ、カウンターの下方の空間を収納部として活用している。しかし、このような従来のカウンターでは、車椅子使用者がキッチンカウンターや洗面カウンター上で作業する場合に、使用者の足が収納部に当たり、それ以上カウンターに近づくことができないため、カウンター上に手が届き難く、作業し難い。
そのため、使用者が車椅子に坐った状態で足をカウンターの下方の空間に入れて、カウンター上で容易に作業が行えるキッチンカウンターや洗面カウンターが望まれていた。
【先行技術文献】
【特許文献】
【０００３】
【特許文献１】実開平４−３３７７１号公報
【特許文献２】特開２０１６−１０１３２７号公報
【発明の概要】
【発明が解決しようとする課題】
【０００４】
特許文献１に開示のカウンター取付構造では、ブラケットを介してカウンターを壁面に取り付けており、カウンターの下方に、車椅子使用者が坐位で足を進入させる空間が確保される。しかし、洗面ボウルの給排水管及びブラケットが外部に露出しており、外観意匠性の点で改善が望まれていた。また、使用者の足が給排水管やブラケットに当たることを防ぐためにも、給排水管やブラケットを覆うパネルの設置が検討されている。例えば、特許文献２のキャビネットでは前板が設けられている。従来のキッチンカウンターや洗面カウンターでは、カウンターの前端に沿って上下方向に収納部等の前板を取り付ける作業が比較的容易である。一方、カウンターの下方に足を進入させる空間を形成するために、カウンターの奥行方向の中間部の下方に前板を取り付ける場合、前板の位置決めや傾斜させて取り付ける作業に手間を要する。
【０００５】
上記事情を踏まえ、本発明は、使用者が椅子に座った状態で足を進入させる空間を広く確保しながら外観意匠性を高めるカウンター及び前板を容易に取り付けられるブラケットを提供することを目的とする。
【課題を解決するための手段】
【０００６】
本発明に係るカウンターは、天板と、壁体へ取り付けるための取付部、および前記取付部の上部から前方に略水平方向に延びて前記天板が固定される支持部を備えたブラケットと、前記天板の下方に設けられる前板と、を備え、前記ブラケットは、前記取付部を介して前記壁体に固定され、前記ブラケットには、前記前板を支持固定する固定部がさらに形成されており、前記前板は、下端部が上端部より前記壁体側に近くなるように傾斜して前記ブラケットの前記固定部に固定されていることを特徴とする。
【０００７】
この発明によれば、壁体に取り付けられたブラケットに天板が支持され、前板の下端部が上端部より壁体側に近くなるように傾斜して前板がブラケットに取り付けられる。この結果、ブラケットに天板及び前板が固定されると、車椅子等の椅子に着座した使用者が天板の下方に足を進入可能な空間を広く確保しながら外観意匠性を高めるカウンターが提供できる。また、ブラケットに前板を取り付けるため、壁体に対して傾斜する前板の取付作業が容易となる。この結果、カウンターの前板を傾斜させた状態で容易に取り付けられる。
【０００８】
本発明に係るカウンターでは、前記固定部は、前記支持部の前端よりも前記取付部側に位置してもよい。
【０００９】
この発明によれば、前板を固定する固定部が支持部の前端よりも取付部側に位置するため、前板を天板の前端よりも取付部寄りに固定できる。したがって、天板の下方かつ前板の前方に広い空間を確保できる。
【００１０】
本発明に係るカウンターでは、前記ブラケットは、前記固定部から離間した位置に、前記前板を係止可能な係止部を備え、前記前板は、前記係止部に係止され、且つ前記固定部に固定されていてもよい。
【００１１】
この発明によれば、前板がブラケットの係止部ならびに固定部の二か所で支持されるため、前板をブラケットで安定支持できる。また、前板がブラケットに支持される上記二か所のうちの一方が係止構造となるため、前板をブラケットに取り付ける際に、先に前板を係止させて位置決めした後、固定部に固定すれば、前板のブラケットへの取付作業が容易となる。
【００１２】
本発明に係るカウンターでは、前記ブラケットは、前記取付部の下部から前方に延びて前記支持部よりも延出長さが短い下延出部を備え、前記下延出部には、前記固定部または前記係止部が設けられていてもよい。
【００１３】
この発明によれば、ブラケットの支持部よりも延出長さが短い下延出部に設けられている固定部または係止部に前板を取り付けることにより、前板の下端部が上端部より壁体側に近くなるように傾斜した状態で容易に前板をブラケットに取り付けられる。
【００１４】
本発明に係るカウンターでは、前記係止部と前記固定部とは、前後方向の位置がずれて設けられていてもよい。
【００１５】
この発明によれば、係止部と固定部とに前板を取り付けると、前板の下端部が上端部より壁体側に近くなるように傾斜した状態でブラケットに容易に固定できる。
【００１６】
本発明に係るカウンターでは、前記天板の下方に２枚以上の前記前板が設けられ、前記ブラケットは、２枚の前記前板を支持固定可能に構成されていてもよい。
【００１７】
この発明によれば、２枚の前板が一つのブラケットに固定されるため、ブラケットの数を抑えることができ、設置作業時の負担が軽減できる。
【００１８】
本発明に係るブラケットは、壁体への取付部と、前記取付部の上部から前方に略水平方向に延び、天板を支持する支持部と、前記取付部と前記支持部とに架設され、傾斜して設けられる斜材と、を備え、前記斜材に、前板を支持固定する固定部が形成されていることを特徴とする。
【００１９】
この発明によれば、使用者が車椅子等の椅子に座った状態で足を進入させる空間を広く確保しながら外観意匠性を高めるカウンターにおける前板を容易に取り付けられるブラケットを提供できる。
【発明の効果】
【００２０】
本発明によれば、車椅子使用者が坐位で足を進入させる空間を広く確保しながら外観意匠性を高めることができるカウンター及び前板を容易に取り付けられるブラケットを提供できる。
【図面の簡単な説明】
【００２１】
【図１】本発明の一実施形態に係るカウンターの一例を示す斜視図である。
【図２】本発明の一実施形態に係るカウンター及びブラケットを下方から見た斜視図である。
【図３】本発明の一実施形態に係るカウンターを示す断面図である。
【図４】本発明の一実施形態のブラケットの斜視図である。
【図５】本発明の一実施形態のブラケットの側面図である。
【図６】本発明の一実施形態に係るカウンターの取付構造を示す断面図である。
【発明を実施するための形態】
【００２２】
以下、本発明の一実施形態に係るカウンター及びブラケットについて図面を用いて説明する。図１は本実施形態に係るカウンターの一例であるキッチンカウンター１００を示す斜視図である。図２は、図１のキッチンカウンター１００及びブラケット１を下方から見た斜視図であり、一部前板を省略して示す図である。図３は、キッチンカウンター１００の縦断面図である。図３には、車椅子使用者Ｐによるキッチンカウンター１００の使用態様を模式的に示している。
【００２３】
以下の説明において、キッチンカウンター１００が設置される床Ｆに直交する方向を上下方向と適宜称する。キッチンカウンター１００を使用する使用者Ｐが天板１０１を間に挟んで壁体Ｗに向き合ったときの左右方向を幅方向と称する。また、上記幅方向及び上下方向と直交する方向を前後方向と称し、使用者Ｐ側を前側、反対側（壁体側）を後側と称する。
【００２４】
図１及び図３に示すように、本実施形態に係るキッチンカウンター１００は、使用者Ｐが車椅子や椅子に座った状態で、天板１０１の下方に足を進入可能な空間が形成されている。キッチンカウンター１００は、建物の壁体Ｗに固定されたブラケット１により天板１０１が支持され、天板１０１の下方に前板１０６，１０７が設けられて構成されている。
【００２５】
天板１０１は、略平板状の部材である。天板１０１には、シンク用開口１０９ａと、コンロ用開口１０９ｂと、水栓用開口１０９ｃと、バックガード１１０とが形成されている。バックガード１１０は、天板１０１の後側端部から上方に突出し、天板１０１の幅方向の全長にわたって形成されている。バックガード１１０は、天板１０１上から壁体Ｗ側への水の侵入を防ぐ止水壁である。
【００２６】
図１に示すように、シンク用開口１０９ａ、コンロ用開口１０９ｂ、及び水栓用開口１０９ｃは天板１０１の上下方向に貫通する開口である。シンク用開口１０９ａにはシンク１０２が配設される。水栓用開口１０９ｃは、シンク用開口１０９ａとバックガード１１０との間に形成されている。水栓用開口１０９ｃには、不図示の水栓が配設される。コンロ用開口１０９ｂの下方にはコンロ用キャビネット１０３（図２参照）が設けられ、コンロ用開口１０９ｂにコンロ１１３が挿入されてコンロ用キャビネット１０３に配設される。
この他、天板１０１の下方には、食器洗い乾燥機用キャビネット１０５、引き出し１０４、パネル１１１等が適宜設けられている。天板１０１に取り付けられるコンロ用キャビネット１０３、引き出し１０４、及びパネル１１１と、天板１０１とを含めて天板ユニット２００と称する。天板ユニット２００は壁体Ｗに取り付けられるブラケット１に支持されている。
【００２７】
前板１０６、１０７は平面視略矩形の平板である。前板１０６、１０７は、木製、樹脂製、金属製等の軽量且つ耐水性を備える板材からなる。前板１０６，１０７は、天板１０１よりも下側であって、壁体Ｗよりも前方に設けられている。下前板１０６は、壁体Ｗに固定されている。下前板１０６の下端縁部は床Ｆ上に近接配置されている。上前板１０７は、下前板１０６と天板ユニット２００との間の壁体Ｗを覆うように設けられている。上前板１０７の下端と床Ｆとは離間しており、上前板１０７の下端と、下前板１０６とは前後方向に離間して隙間が形成されている。上前板１０７は、上端が下端よりも前方に位置するように前後方向に傾斜して設けられている。上前板１０７はブラケット１に固定されている。図１及び図２に示すように、本実施形態に係るキッチンカウンター１００では、複数の下前板１０６及び上前板１０７が配設されている。図３に示すように、前板１０６，１０７と天板１０１の下方との間の空間が、椅子に着座した使用者Ｐの足が進入可能な空間となる。さらに、上前板１０７の下端と床Ｆとの間の隙間には、椅子に着座した使用者Ｐの足先が進入可能な空間が形成されている。
【００２８】
図３及び図６に示すように、上前板１０７の裏面には、上フック１０及び下フック２０が設けられている。上フック１０及び下フック２０は同形状の部材である。図６に示すように、上フック１０及び下フック２０は、固定部１０ａ、２０ａと、接続部１０ｂ、２０ｂと、係止爪１０ｃ、２０ｃと、を有する。固定部１０ａ、２０ａは、上前板１０７の裏面へ固定される平面部である。接続部１０ｂ、２０ｂは、固定部１０ａ、２０ａの下端から曲折して後方に突出している。係止爪１０ｃ、２０ｃは、接続部１０ｂ、２０ｂの後端から下方に曲折し、固定部１０ａ、２０ａに略平行に延設されている。
【００２９】
上フック１０ならびに下フック２０は、上前板１０７の幅方向の両端部近傍に離間して二対設けられている。一対の上フック１０及び下フック２０は、幅方向の位置が等しく上下方向に離間した位置に設けられている。
【００３０】
図４は、本実施形態のブラケット１の斜視図である。図５は、ブラケット１の側面図である。図４及び図５に示すように、ブラケット１は、取付部２と、支持部３と、斜材（筋交い）４と、固定部５と、下延出部７と、係止部６とを備える。ブラケット１は、例えば、アルミニウム合金、鉄、ステンレスなどからなる。本実施形態に係るブラケット１では、取付部２と、支持部３と、下延出部７とが、一枚の細長い平板が２か所で同じ方向（前方）に曲折されたように構成されており、側面視の形状が略Ｊ字形状の部材である。
【００３１】
取付部２は上下方向に延びる平板である。取付部２の上端部２１から前方に支持部３が突出し、下端部２２から下延出部７が突出している。取付部２の上部には、前後方向に貫通する上ビス孔２３，２３が二か所形成されている。取付部２の下部には、前後方向に貫通する下ビス孔２４が一ヶ所形成されている。上ビス孔２３，２３及び下ビス孔２４は、水平方向に長い長楕円形状を有する。取付部２の下部には、上部よりも幅寸法が小さい細幅部２５が形成されている。
【００３２】
支持部３は、取付部２の上端部２１（上部）から前方に略水平方向に延びる平板部である。支持部３には、上下方向に貫通する複数のビス孔３１が形成されている。また、支持部３の取付部２側の２つのビス孔３１，３１の間には、上下方向に貫通し、ビス孔３１，３１よりも開口面積が大きい貫通孔３３が形成されている。支持部３には、天板ユニット２００が載置されて固定される。
【００３３】
斜材４は、支持部３の下面と、取付部２の前面との間に傾斜して架設されている。斜材４は、支持部への上方からの荷重を支える補強部として機能する。斜材４は、取付部２の下ビス孔２４の上部であって、取付部２の幅方向の略中央部から、支持部３の前端３２よりも後側の下面まで斜め前方に伸びている。斜材４は、図４に示すように、略平板状の部材であり、平面部が上下方向及び前後方向に沿うように配置されている。図５に示すように、斜材４の上端部４１は、支持部３の前端３２よりも後側に位置する。斜材４の上端部４１には、前方に延出する延出部４４を有する。延出部４４の前端部４２は、支持部３の延出方向（水平方向）に対して傾斜している。支持部３に対する前端部４２の傾斜角度θ２は、支持部３に対する斜材４の傾斜角度θ１よりも大きい。前端部４２の傾斜角度θ２は、上前板１０７の傾斜角度に対応して形成されている。
【００３４】
固定部５は、延出部４４の前端部４２の下部に設けられている。具体的には、固定部５は、支持部３の前端３２よりも後ろ側（取付部２側）に設けられている。図４に示すように、固定部５は略矩形の平板であり、平面部が延出部４４の前端部４２に沿って傾斜して配置され、延出部４４に固定されている。図４に示すように、固定部５は、幅方向の略中間部が前端部４２に固定され、幅方向に延びている。図５に示すように、固定部５の前面５１は、延出部４４の前端部４２と面一となるように配設されている。固定部５には、斜材４を挟んで幅方向に離間する二か所に固定孔５２，５２が形成されている。
【００３５】
下延出部７は、取付部２の下端部２２（下部）から前方に略水平方向に延びて形成されている。図５に示すように、下延出部７の延出長さは、支持部３の延出長さよりも短い。下延出部７の前端には係止部６が形成されている。係止部６は、固定部５よりも後ろ側に位置する。
【００３６】
係止部６は、上前板１０７を係止可能に構成されている。具体的には、係止部６は、下延出部７の前端から上方に突出して形成されている。係止部６は、斜め前方に向かって傾斜している。図５に示すように、係止部６は、固定部５の前面５１の下方への延長線上に設けられている。また、係止部６の水平面に対する傾斜角度θ３は、上述した支持部３に対する前端部４２の傾斜角度θ２と略等しい。
【００３７】
次に、本実施形態に係るキッチンカウンター１００の設置方法について説明する。
壁体Ｗに複数の下前板１０６を取り付ける。下前板１０６の下端縁部を床Ｆに近接させ、裏面を壁体Ｗに固定する。
【００３８】
次に、取付部２を介してブラケット１を壁体Ｗに固定する。下前板１０６の上方の壁体Ｗに複数のブラケット１を取り付ける。ブラケット１は、下前板１０６の上端部に取付部２の下端部２２を当接させながら、壁体Ｗにビス（不図示）で固定する。このように、取付部２の下端を下前板１０６の上端縁に当接させると、ブラケット１を取り付ける高さの位置決めが容易である。特に、複数のブラケット１を同じ高さに位置決めできる。また、取付部２の下端は略直角に曲折して下延出部７が形成されている。このため、下前板１０６の水平方向に延びる上端部に取付部２の下端部２２を当接させると、ブラケット１の支持部３が水平となるように、ブラケット１を壁体Ｗに固定できる。
【００３９】
詳細は後述するが、本実施形態では、ブラケット１は、１つのブラケット１に２枚の上前板１０７を支持固定可能に構成されている。また、図１に示すように、施工性及び外観意匠性の観点から、複数の上前板１０７と下前板１０６とは上下方向に並んで配置する。そのため、ブラケット１は複数の下前板１０６の幅方向の端部上に配置する。具体的には、隣り合う下前板１０６，１０６間の境界の上方の延長線上に固定部５が跨るようにブラケット１を配置する。本実施形態のブラケット１の固定部５は斜材４の前端に設けられており、固定孔５２，５２は、斜材４を挟んで幅方向両側に形成されている。このため、隣り合う下前板１０６，１０６間の境界の上方の延長線に沿って斜材４が延びるようにブラケット１を配置して壁体Ｗに固定する。
【００４０】
ブラケット１を壁体Ｗに固定する際、斜材４が上下方向及び前後方向に沿う平板状であるため、ドライバー等を用いて壁体Ｗに対して取付部２を前方からビス固定する時の作業動線の妨げとなり難い。また、固定部５は、取付部２の上ビス孔２３よりも下側に設けられているため、取付部２をビス固定する際に、固定部５がドライバー等を用いたビス固定時の作業動線の妨げとなり難い。このため、ブラケット１を壁体Ｗに容易に固定できる。
【００４１】
また、取付部２の上ビス孔２３、下ビス孔２４が長楕円形状を有するため、ブラケット１の取付位置の微調整が行いやすい。例えば、下前板１０６の上端にブラケット１の取付部２の下端を当接させて位置決めしても、支持部３の水平位置に僅かにずれが生じる場合がある。このような場合に、上ビス孔２３、下ビス孔２４が長楕円形状であると、例えば、下ビス孔２４は仮固定状態として、上ビス孔２３の位置を調整可能であり、水平位置の微調整が行いやすい。
【００４２】
天板ユニット２００を複数のブラケット１の支持部３上に載置し固定する。具体的には、コンロ用キャビネット１０３の下部等、天板ユニット２００の下部に設けられたブラケット１との当接部（不図示）を支持部３に載置し、下方からビス孔３１にビスを挿入して固定する。天板ユニット２００をブラケット１にビス固定する際、天板ユニット２００の下面にブラケット１への取付位置をマークして支持部３上に載置する。施工者がブラケット１の下方から、支持部３の貫通孔３３を介して取付位置のマークを確認すると、天板ユニット２００のブラケット１への取付位置を容易に位置決めできる。なお、天板ユニット２００は、施工現場で各構成部材を組み立てても、予め工場で組み立てたものを使用してもよい。
【００４３】
下延出部７の幅方向の長さが支持部３の幅方向の長さより短い。このため、天板ユニット２００を支持部３に固定する作業時に目視確認が行いやすく、また、ドライバー等でビス止めする際に下延出部７が妨げとならず、ビス固定作業を円滑に行える。
【００４４】
天板ユニット２００をブラケット１に固定した後、給排水管や電気配線等の接続作業を行う。床Ｆに接続される排水管の周囲に配管カバー１０８（図１参照）を取り付けて、排水管を覆う。
【００４５】
次に、上前板１０７を取り付ける。複数の上前板１０７を幅方向の端部から１枚ずつブラケット１に固定する。上前板１０７の上端部を、前方から天板ユニット２００の下部に近付け、上前板１０７の幅方向の端部をブラケット１の近傍に近付ける。固定部５と係止部６とは、係止部６が固定部５よりも後ろ側に前後方向の位置がずれて設けられている。このとき、上前板１０７の下端部は、上端部よりも後ろ側（壁体Ｗ側）に位置するように傾斜させる。続いて、上前板１０７を幅方向にスライドさせて、上前板１０７の上フック１０に係止させ、下フック２０を係止部６に係止させる。この結果、上前板１０７がブラケット１に係止され、施工者が上前板１０７から手を放すことができる。
【００４６】
上前板１０７のネジ固定箇所には、予めネジ孔（不図示）が形成されている。前方から上前板１０７のネジ孔にネジ３０を貫入させて一つの固定孔５２に挿通し、上前板１０７を固定部５に固定する。このとき、もう一つの固定孔５２を含む固定部５及び係止部６の幅方向の一部は、上前板１０７に覆われず露出している。続いて、次の上前板１０７を上記と同様にブラケット１に近接配置し、露出している固定部５ならびに係止部６に上フック１０ならびに下フック２０をそれぞれ係止させ、上記と同様にネジ３０で固定部５に固定する。他の上前板１０７を順次ブラケット１に係止、固定する。
【００４７】
以上でキッチンカウンター１００の上前板１０７の取り付けが終了する。全ての上前板１０７をブラケット１に固定したら、食器洗い乾燥機用キャビネット１０５または横側板（不図示）を取り付けて、キッチンカウンター１００の幅方向の側方を覆う。キッチンカウンター１００の幅方向において、食器洗い乾燥機用キャビネット１０５が設けられる側と反対側の端部（図１における幅方向の左側の端部）の側方に十分な空間がある場合は、先に食器洗い乾燥機用キャビネット１０５を取り付け、食器洗い乾燥機用キャビネット１０５側の下前板１０６の上方から順に上前板１０７を取り付ければよい。キッチンカウンター１００の幅方向の側方が壁体に近接する等、十分な空間がない場合は、複数の上前板１０７を取り付けた後に食器洗い乾燥機用キャビネット１０５を取り付ける。止水処理等が適宜行われ、キッチンカウンター１００の施工が完了する。
【００４８】
本実施形態に係るキッチンカウンター１００では、図３に示すように、ブラケット１の支持部３の前端３２よりも後ろ側に斜材４の前端が配置されている。このため、ブラケット１で天板ユニット２００を安定支持しながら、椅子に着座した使用者Ｐの膝をより後ろ側（奥側）まで進入させることができるスペースを確保できる。この結果、椅子に着座した使用者Ｐの膝をより後ろ側（奥側）まで進入させることができるスペースと、天板１０１の後ろ側の下方に設けられる給排水設備を収納するスペースとを両立して確保できる。また、外観意匠性にも優れる。
【００４９】
本実施形態に係るキッチンカウンター１００は、図３に示すように、天板ユニット２００を支持するブラケット１に、上前板１０７を傾斜して取り付けることができる。その結果、車椅子に着座した使用者Ｐの膝から足先が斜めに保持される場合でも、使用者Ｐがより後ろ側まで進入できる。また、上前板１０７の下方と床Ｆとの間にも開口する空間を備えるため、使用者Ｐのつま先が進入するスペースが確保できる。したがって、車椅子等の椅子に着座した使用者Ｐの足がより後ろ側に進入可能なスペースを確保し、使用者Ｐが天板１０１上での作業を行いやすいキッチンカウンター１００を提供できる。
【００５０】
本実施形態に係るキッチンカウンター１００によれば、壁体Ｗに取り付けられたブラケット１に天板ユニット２００が支持され、上前板１０７は、下端部が上端部より壁体Ｗ側に近くなるように傾斜して、ブラケット１に取り付けられる。この結果、ブラケット１に天板ユニット２００及び上前板１０７が固定されると、天板ユニット２００の下方に、車椅子等の椅子に着座した使用者Ｐが足を進入可能な空間を広く確保できる。したがって、椅子に着座した使用者Ｐが足を進入可能な空間を広く確保しながら外観意匠性を高めるキッチンカウンター１００が提供できる。また、ブラケット１に上前板１０７と取り付けるため、壁体Ｗに対して傾斜する上前板１０７の取付作業が容易となる。この結果、キッチンカウンター１００の上前板１０７を容易に取り付けられる。
【００５１】
本実施形態に係るキッチンカウンター１００によれば、上前板１０７を固定する固定部５が支持部３の前端よりも取付部２側に位置するため、上前板１０７を天板１０１の前端よりも取付部２寄りに固定できる。したがって、天板ユニット２００の下方かつ上前板１０７の前方に広い空間を確保できる。
【００５２】
本実施形態に係るキッチンカウンター１００によれば、上前板１０７がブラケット１の係止部６ならびに固定部５の二か所で支持される。このため、上前板１０７をブラケット１で安定支持できる。また、上前板１０７がブラケット１に支持される上記二か所のうちの一方が係止構造となるため、上前板１０７をブラケット１に取り付ける際に、先に上前板１０７を係止部６に係止させて位置決めした後、固定部５に固定すれば、上前板１０７のブラケット１への取付作業が容易となる。
【００５３】
本実施形態に係るキッチンカウンター１００によれば、ブラケット１の支持部３よりも延出長さが短い下延出部７に設けられている係止部６に上前板１０７を取り付けることにより、上前板１０７の下端部が上端部より壁体Ｗ側に近くなるように傾斜した状態で容易に上前板１０７をブラケット１に取り付けられる。
【００５４】
本実施形態に係るキッチンカウンター１００によれば、固定部５と係止部６とが前後方向の位置がずれて設けられているため、固定部５と係止部６とに上前板１０７を取り付けると、上前板１０７の下端部が上端部より壁体Ｗ側に近くなるように傾斜した状態で上前板１０７をブラケット１に容易に固定できる。
【００５５】
本実施形態に係るキッチンカウンター１００によれば、２枚の上前板１０７が一つのブラケット１に固定されるため、ブラケット１の数を抑えることができ、設置作業時の負担が軽減できる。
【００５６】
本実施形態に係るブラケット１によれば、使用者Ｐが車椅子等の椅子に座った状態で足を進入させる空間を広く確保しながら外観意匠性を高めるキッチンカウンター１００における上前板１０７を容易に取り付けられるブラケット１を提供できる。
【００５７】
上記実施形態では、天板ユニット２００が支持部３上に載置されて固定される例を示したが、引き出し１０４、コンロ用キャビネット１０３、パネル１１１などは本発明に係るカウンターの必須の構成ではなく、天板１０１が支持部３上に直接載置されて固定される構成であってもよい。
【００５８】
上記実施形態では、下延出部７が略水平方向に延びて形成される例を示したが、下延出部７は、取付部２の下部から前方に延びて形成されていればよく、水平方向に延出される構成は必須の構成ではない。下延出部７は、上前板１０７の傾斜角度に応じて、固定部または係止部が形成されていればよい。
【００５９】
上記実施形態では、ブラケット１の上部に固定部５が設けられ、下部に係止部６が設けられる例を示したが、ブラケットの下部に固定部が設けられ、上部に係止部が設けられる構成であってもよい。
【００６０】
上記実施形態では、係止部６が下フック２０に係止され、且つ、固定部５が上フック１０に係止されて上前板１０７がネジ３０で固定される例を示したが、固定部５に係止されるフックは必須の構成ではない。例えば、下フック２０が係止部６に係止され、固定部５ではネジ固定のみ行い上前板１０７をブラケット１に支持固定してもよい。
【００６１】
上記実施形態では、下フック２０が係止部６に係止される例を示したが、下フック２０及び係止部６は必須の構成ではない。例えば、上前板１０７に下フック２０が設けられず、上前板１０７の背面が下延出部７の前端に当接する構成であってもよい。
【００６２】
上記実施形態では、斜材４に延出部４４を備え、延出部４４の前端部４２に固定部５が設けられている例を示したが、延出部４４は本発明の必須の構成ではない。例えば、支持部３に対する斜材４の傾斜角度と、上前板１０７の傾斜角度が等しい場合や、固定部が上前板１０７の傾斜角度に等しくなるように斜材４に設けられている場合は、延出部４４を備えず、斜材４の前側端部に固定部５が設けられている構成であってもよい。
【００６３】
上記実施形態では、キッチンカウンター１００に下前板１０６を備える例を示したが、少なくとも、下側後方へ向けて傾斜する上前板１０７が設けられていればよく、下前板１０６は必須の構成ではない。例えば、下前板１０６に代えて、シンク１０２の排水管（不図示）を覆う配管カバー１０８のみが設けられる構成であってもよい。
【００６４】
上記実施形態では、建物の壁体Ｗにブラケット１が固定される例を示したが、壁体は建物の床から天井まで設けられる壁に限定されず、天板１０１の後ろ側に床Ｆから立設された壁体であればよい。例えば、対面式キッチンカウンターの場合のように、キッチンカウンター用として、床Ｆから天板１０１の後端まで立設された壁体であってもよい。
【００６５】
上記実施形態では、固定部５に幅方向に離間する二つの固定孔５２，５２を設け、隣り合う２枚の上前板１０７，１０７を固定部５に固定する例を示したが、固定部５の構成はこれに限定されない。例えば、固定部５に一つの固定孔５２を設けて、１枚の上前板１０７を固定する例であってもよい。また、二つの固定孔５２，５２の２か所で１枚の上前板１０７を固定してもよい。
【００６６】
上記実施形態では、本発明に係るカウンターの一例としてキッチンカウンター１００を示したが、カウンターはキッチンカウンターに限定されず、洗面ボウルを備える洗面カウンターであってもよい。
【００６７】
上記実施形態では、複数の前板１０６、１０７を備えるカウンターの例を示したが、ブラケット１で上前板１０７の下部が壁体側に向かって傾斜して支持固定される構成であればよく、２つのブラケットで１枚の前板１０６の両端部を支持固定する構成であってもよい。
【００６８】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００６９】
１  ブラケット
２  取付部
３  支持部
４  斜材
５  固定部
６  係止部
７  下延出部
１０１  天板
１０７  上前板（前板）
１００  キッチンカウンター（カウンター）
【図１】
2019146933.tif 000003
【図２】
2019146933.tif 000004
【図３】
2019146933.tif 000005
【図４】
2019146933.tif 000006
【図５】
2019146933.tif 000007
【図６】
2019146933.tif 000008